(57)【要約】【課題】  ゴミ付着による画像劣化を回避できる画像読取装置を提供する。【解決手段】  搬送される原稿を密着型イメージセンサにて読取る画像読取装置において、前記密着型イメージセンサのガラス面の原稿の搬送路に対向する面を被覆する透明部材と、前記密着型イメージセンサにて読取った読取データに基づいて、前記透明部材にゴミが付着しているのか否かを検知するゴミ検知手段と、前記ゴミ検知手段の検知結果に基づいて、前記透明部材を読取位置に対して所定距離シフトさせる移動手段とを備えた。【選択図】  図１
2006229897.tif 000002
【特許請求の範囲】
【請求項１】
搬送される原稿を密着型イメージセンサにて読取る画像読取装置において、
前記密着型イメージセンサのガラス面の原稿の搬送路に対向する面を被覆する透明部材と、
前記密着型イメージセンサにて読取った読取データに基づいて、前記透明部材にゴミが付着しているのか否かを検知するゴミ検知手段と、
前記ゴミ検知手段の検知結果に基づいて、前記透明部材を読取位置に対して所定距離シフトさせる移動手段と、
を備えたことを特徴とする画像読取装置。
【請求項２】
前記ゴミ検知手段は、前記密着型イメージセンサにて読取った読取データのうち、搬送される原稿の先端、後端、通過後の３つの読取データに基づいて、前記透明部材にゴミが付着しているのか否かを検知する請求項１記載の画像読取装置。
【請求項３】
前記移動手段は、有端の帯状の前記透明部材を巻取ってシフトさせる請求項１又は２記載の画像読取装置。
【請求項４】
前記移動手段は、無端の帯状の前記透明部材を転動してシフトさせる請求項１又は２記載の画像読取装置。
【発明の詳細な説明】
【技術分野】
【０００１】
本発明は、画像読取装置に関し、特にゴミ付着による画像劣化を回避できる画像読取装置に関する。
【背景技術】
【０００２】
原稿を一回搬送して表裏両面を読取る画像読取装置は、搬送される原稿の裏面側に対応させるように、密着型イメージセンサ（ＣＩＳ：Contact Image Sensor）等を配設したものである。
【０００３】
このような画像読取装置では、密着型イメージセンサの画素感度ばらつきや、光源、光学系の特性による明暗のばらつきを補正するために、白基準板等を読取って得た白基準データをもとにシェーディング補正が行われている。
【０００４】
例えば、白基準板等にゴミが無く、適正な白基準データが読み取れる場合は、正常にシェーディング補正が行えるが、白基準板等にゴミが付着している場合には、密着型イメージセンサの画素の信号レベルがごみの影響で落ち込む。
【０００５】
この落ち込んだ信号レベルを白基準データとしてシェーディング補正を行うと、画素部分が縦すじとなって画像劣化する。
【０００６】
このように、白基準板にゴミが付着している場合などは、そのゴミの影響を受ける密着型イメージセンサの信号レベルは常に落ち込んだ状態となり、回避困難な画像劣化の原因となる。
【０００７】
そこで、従来より、ゴミ付着による画像劣化を回避する方法として、白基準板を読取位置に対して相対的に移動可能にして、当該白基準板のゴミが付着した部分を読取位置から外すことが行われている（特許文献１参照）。
【特許文献１】特開２００２−２９０６８５号公報
【発明の開示】
【発明が解決しようとする課題】
【０００８】
しかしながら、ゴミは、白基準板ばかりでなく、密着型イメージセンサのガラス面の原稿の搬送路に対向する面等の読取位置に対応する部位に付着している場合もある。
【０００９】
この場合、読取位置に対応する部位にゴミが付着しているため、上述した従来技術のように、白基準板を読取位置に対して移動させたとしても、ゴミを読取ってしまい、ゴミ付着による画像劣化を回避することはできなかった。
【００１０】
そこで、本発明は、上記問題に鑑み、ゴミ付着による画像劣化を回避できる画像読取装置を提供することを目的とする。
【課題を解決するための手段】
【００１１】
本発明は、搬送される原稿を密着型イメージセンサにて読取る画像読取装置を前提としている。本発明は、前記密着型イメージセンサのガラス面の原稿の搬送路に対向する面を被覆する透明部材と、前記密着型イメージセンサにて読取った読取データに基づいて、前記透明部材にゴミが付着しているのか否かを検知するゴミ検知手段と、前記ゴミ検知手段の検知結果に基づいて、前記透明部材を読取位置に対して所定距離シフトさせる移動手段とを備えた構成としている。
【００１２】
このようにすれば、密着型イメージセンサのガラス面の原稿の搬送路に対向する面を被覆する透明部材にゴミが付着していると検知した場合に、当該透明部材を読取位置に対してシフトすることでゴミの読取りを回避できるため、ゴミ付着による画像劣化を回避することができる。
【００１３】
また、前記ゴミ検知手段は、前記密着型イメージセンサにて読取った読取データのうち、搬送される原稿の先端、後端、通過後の３つの読取データに基づいて、前記透明部材にゴミが付着しているのか否かを検知する構成としてもよい。
【００１４】
このようにすれば、３つの読取データに基づいてゴミの付着を検知するので、検知精度が高まり、誤検知を抑制することができる。
【００１５】
なお、前記移動手段は、有端の帯状の前記透明部材を巻取ってシフトさせる構成としてもよいし、無端の帯状の前記透明部材を転動してシフトさせる構成としてもよい。
【発明の効果】
【００１６】
密着型イメージセンサのガラス面の原稿の搬送路に対向する面を被覆する透明部材にゴミが付着していると検知した場合に、当該透明部材を読取位置に対してシフトすることでゴミの読取りを回避できるため、ゴミ付着による画像劣化を回避することができる。
【発明を実施するための最良の形態】
【００１７】
以下、本発明の実施の形態を図面に従って詳細に説明する。
【００１８】
図１は、本発明の実施の形態における画像読取装置２０の内部構造を示す概略図であり、図２は、本発明の実施の形態における画像読取装置２０を示す概略機能ブロック図である。
【００１９】
原稿トレイ１に載置された原稿は、原稿送り機構により１枚ずつ搬送され、表面がＣＣＤセンサ２にて読取られ、裏面が密着型イメージセンサ３にて読取られて、１回の搬送で原稿の表裏両面が読取られる。
【００２０】
以下では、原稿の表裏両面を読取る際の裏面読取りにおける画像読取装置２０の動作について、図３のフロー図に従って説明する。
【００２１】
ユーザが上記原稿トレイ１に複数枚の原稿を載置すると、主走査方向のライン状に配設された密着型イメージセンサ３は、光源を消灯した状態で、黒基準データを取得した後（Ｓ１）、光源を点灯して白基準ローラ４の読取りを行い、白基準データを取得する（Ｓ２）。
【００２２】
上記密着型イメージセンサ３が白基準データを取得すると、上記原稿送り機構が原稿を副走査方向に搬送し、当該密着型イメージセンサ３は、搬送される原稿１枚を連続する複数の主走査方向のラインとして読取り、連続する複数の読取データはライン毎に順次記憶手段５に格納される。（Ｓ３）。
【００２３】
ところで、上記搬送の過程では、上記密着型イメージセンサ３より搬送方向上流側に配設された光センサ等からなる搬送センサ６が、搬送される原稿に向かって光を出射し、その反射光の受光強度レベルの変化量により、原稿の先端、後端を検知している。
【００２４】
すなわち、上記搬送センサ６が搬送される原稿の先端を検知してから所定時間経過した時点で取得した読取データが先端の読取データ、後端を検知してから所定時間経過した時点で取得した読取データが後端の読取データである。
【００２５】
また、上記密着型イメージセンサ３は、上記後端の読取データを取得してから所定時間経過後に原稿通過後の読取りを行い、取得した通過後の読取データを上記記憶手段５に格納する。
【００２６】
上記通過後の読取データが上記記憶手段５に格納されると、ゴミ検知手段７は、当該記憶手段５から原稿の先端、後端、通過後の３つの読取データを読出し、読出した３つの読取データの黒濃度ピーク値が全て一致するのか否かを判定する（Ｓ４）。
【００２７】
上記３つの読取データの黒濃度ピーク値が全て一致するのであれば、上記密着型イメージセンサ３のガラス面の原稿の搬送路に対向する面を被覆する透明フィルム８にゴミが付着していると検知する。なお、ゴミが付着していると検知する場合を少なくとも２つの読取データの黒濃度ピーク値が一致する場合としてもよい。
【００２８】
ところで、移動手段９は、２つの巻取り軸に巻取られた有端の帯状の透明フィルム８を、上記密着型イメージセンサ３のガラス面の原稿の搬送路に対向する面を被覆するように当接させ、当該２つの巻取り軸に渡って張設した構成としている。
【００２９】
上記２つの巻取り軸のうち、一方の巻取り軸は巻戻し方向に付勢されており、常時上記有端の帯状の透明フィルム８を張った状態に保つと共に、他方の巻取り軸はステッピングモータ等で巻取り方向に駆動され、当該有端の帯状の透明フィルム８を巻取ってシフトさせる構成としている。
【００３０】
上記密着型イメージセンサ３の両側には、ピンローラが備えられ、当該密着型イメージセンサ３に上記有端の帯状の透明フィルム８の張力が直接かからない構成としている。
【００３１】
なお、上記移動手段９は、図４に示すように、無端の帯状の透明フィルム８を転動してシフトさせる構成としてもよい。
【００３２】
この場合、２つのプーリに渡って巻き掛けられた上記無端の帯状の透明フィルム８を、上記密着型イメージセンサ３のガラス面の原稿の搬送路に対向する面を被覆するように当接させて張設する。
【００３３】
上記２つのプーリのうち、一方のプーリは他方のプーリに対して離間する方向に付勢されており、常時上記無端の帯状の透明フィルム８を張った状態に保つと共に、当該一方のプーリはステッピングモータ等で駆動され、当該無端の帯状の透明フィルム８を転動してシフトさせる。
【００３４】
上記判定処理Ｓ４で、上記ゴミ検知手段７が上記透明フィルム８にゴミが付着していると検知した場合、上記移動手段９は、当該透明フィルム８を読取位置に対して所定距離シフトさせる（Ｓ５）。
【００３５】
上記移動手段９は、シフト回数をカウントする初期値０のシフトカウンタを内蔵しており、シフトする毎に当該シフトカウンタの値をインクリメントする。
【００３６】
上記のように透明フィルム８をシフトすると、上記移動手段９は、シフトカウンタの値が所定値Ｎ以上なのか否かを判定する。この所定値Ｎは、上記透明フィルム８がシフトによって一巡する値であり、ゴミ付着部位が再度読取位置に戻る値である。
【００３７】
上記シフトカウンタの値が所定値Ｎ未満で、最終原稿の読取りが終了していない場合は、上記密着型イメージセンサ３は、再度白基準データを取得して、以下上述と同様に次の読取りを行う（Ｓ６→Ｓ９→Ｓ２）。最終原稿の読取りが終了している場合は処理を終了する。
【００３８】
他方、上記シフトカウンタの値が所定値Ｎ以上である場合、液晶ディスプレイ等からなる表示手段１０は、‘透明フィルムが汚れています。清掃して下さい。’等の清掃要求メッセージの表示を行うと共に、上記移動手段９は、当該シフトカウンタの値をリセットする。
【００３９】
ユーザが上記清掃要求メッセージに従って、上記透明フィルム８の取替え、もしくは、取り外し清掃を行い、当該透明フィルム８を再セットした場合で、最終原稿の読取りが終了していない場合は、再度白基準データを取得して、以下上述と同様に次の読取りを行う（Ｓ６→Ｓ７→Ｓ８→Ｓ９→Ｓ２）。最終原稿の読取りが終了している場合は処理を終了する。
【００４０】
一方、上記判定処理Ｓ４で、ゴミ検知手段７が透明フィルム８にゴミが付着していると検知しなかった場合で、最終原稿の読取りが終了していない場合は、再度白基準データを取得して以下上述と同様に次の読取りを行う（Ｓ４→Ｓ９→Ｓ２）。最終原稿の読取りが終了している場合は処理を終了する。
【００４１】
このようにすれば、密着型イメージセンサのガラス面の原稿の搬送路に対向する面を被覆する透明部材にゴミが付着していると検知した場合に、当該透明部材を読取位置に対してシフトすることでゴミの読取りを回避できるため、ゴミ付着による画像劣化を回避することができる。
【００４２】
また、３つの読取データに基づいてゴミの付着を検知するので、検知精度が高まり、誤検知を抑制することができる。
【００４３】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００４４】
密着型イメージセンサのガラス面の原稿の搬送路に対向する面を被覆する透明部材にゴミが付着していると検知した場合に、当該透明部材を読取位置に対してシフトすることでゴミの読取りを回避できるため、ゴミ付着による画像劣化を回避することができる画像読取装置として有用である。
【図面の簡単な説明】
【００４５】
【図１】本発明の実施の形態における画像読取装置の内部構造を示す概略図である。
【図２】本発明の実施の形態における画像読取装置を示す概略機能ブロック図である。
【図３】本発明の実施の形態における画像読取装置の動作を示すフロー図である。
【図４】本発明の他の実施の形態における画像読取装置の内部構造を示す概略図である。
【符号の説明】
【００４６】
１  原稿トレイ
２  ＣＣＤセンサ
３  密着型イメージセンサ
４  白基準ローラ
５  記憶手段
６  搬送センサ
７  ゴミ検知手段
８  透明フィルム
９  移動手段
１０  表示手段
２０  画像読取装置
【図１】
2006229897.tif 000003
【図２】
2006229897.tif 000004
【図３】
2006229897.tif 000005
【図４】
2006229897.tif 000006